(57)【要約】【課題】  簡易な構成ながら記録材料を確実に搬送することができ、また、設置スペースを小さくすることが可能な画像記録装置を提供することを目的とする。【解決手段】  マガジン２１とカッター２２と一対の搬出ローラ２３、２４とを各々備える上下方向に列設された二個の記録材料収納部１２と、記録材料Ｐを搬送するための一対の搬送ローラ３１、３２を備え、記録材料Ｐを水平な状態で支持可能な記録材料搬送部１３と、記録材料Ｐをその外周部に装着する記録ドラム１４と、記録材料搬送部１３を傾斜姿勢とすることにより、一対の搬送ローラ３１、３２を記録ドラム１４と対向する位置に配置する傾斜機構と、記録ドラム１４に装着された記録材料Ｐに対して画像を記録する画像記録部１５とを備える。【選択図】        図１
2005053697.tif 000002
【特許請求の範囲】
【請求項１】
上下方向に列設された複数の記録材料収納部と、
記録材料を搬送するための一対の搬送ローラを備え、前記各記録材料収納部と前記一対の搬送ローラとが対向する位置まで昇降するとともに、前記記録材料収納部から搬出された記録材料を水平な状態で支持可能な記録材料搬送部と、
前記記録材料収納部または前記記録材料搬送部の上方または下方に配置され、前記記録材料収納部から搬出された記録材料を装着する記録材料装着部と、
前記記録材料搬送部を傾斜姿勢とすることにより、前記一対の搬送ローラを前記記録材料装着部と対向する位置に配置する傾斜機構と、
前記記録材料装着部と対向する位置に配置され、前記記録材料装着部に装着された記録材料に対して画像を記録する画像記録部と、
を備えたことを特徴とする画像記録装置。
【請求項２】
請求項１に記載の画像記録装置において、
前記記録材料搬送部は、前記一対の搬送ローラの駆動により、前記記録材料収納部から排出された記録材料をスイッチバック方式により前記記録材料装着部に搬送する画像記録装置。
【請求項３】
請求項２に記載の画像記録装置において、
前記記録材料収納部は、その内部に長尺の記録材料を巻回して収納するマガジンと、前記長尺の記録材料を切断するためのカッターと、記録材料を前記マガジンから搬出するための一対の搬出ローラとを備える画像記録装置。
【請求項４】
請求項２に記載の画像記録装置において、
前記記録材料収納部は、その内部に長尺の記録材料を巻回して収納するマガジンと、前記長尺の記録材料を前記マガジンから搬出するための一対の搬出ローラとを備え、
前記記録材料搬送部は、前記一対の搬出ローラによって前記マガジンから搬出された長尺の記録材料を切断するためのカッターを備える画像記録装置。
【請求項５】
請求項３または請求項４に記載の画像記録装置において、
前記一対の搬出ローラのうちの少なくとも一方は、その長手方向の中央部において記録材料の搬送力が強化されたローラから構成されるとともに、
前記記録材料搬送部は、前記一対の搬送ローラの軸間距離を変更するための変更機構を備え、
前記記録材料収納部から前記記録材料搬送部に記録材料を搬送するときには、前記記録材料搬送部から前記記録材料装着部に記録材料を搬送するときよりも前記一対の搬送ローラによる記録材料のニップ圧を低下させる画像記録装置。
【請求項６】
請求項５に記載の画像記録装置において、
前記記録材料収納部から前記記録材料搬送部に記録材料を搬送するときには、前記一対の搬送ローラを開放して記録材料のニップ圧をゼロにする画像記録装置。
【請求項７】
その内部に長尺の記録材料を巻回して収納するマガジンと、前記長尺の記録材料を切断するためのカッターと、記録材料を前記マガジンから搬出するための一対の搬出ローラとを各々備える上下方向に列設された複数の記録材料収納部と、
記録材料を搬送するための一対の搬送ローラを備え、前記各記録材料収納部と前記一対の搬送ローラとが対向する位置まで昇降するとともに、前記記録材料収納部から搬出された記録材料を水平な状態で支持可能な記録材料搬送部と、
前記記録材料搬送部の下方に配置され、前記記録材料収納部から搬出された記録材料をその外周部に装着する記録ドラムと、
前記記録材料搬送部を傾斜姿勢とすることにより、前記一対の搬送ローラを前記記録ドラムと対向する位置に配置する傾斜機構と、
前記記録ドラムと対向する位置に配置され、前記記録ドラムに装着された記録材料に対して画像を記録する画像記録部と、
を備えたことを特徴とする画像記録装置。
【請求項８】
その内部に長尺の記録材料を巻回して収納するマガジンと、前記長尺の記録材料を前記マガジンから搬出するための一対の搬出ローラとをそれぞれ備える上下方向に列設された複数の記録材料収納部と、
前記マガジンから搬出された長尺の記録材料を切断するためのカッターと、切断された記録材料を搬送するための一対の搬送ローラとを備え、前記各記録材料収納部と前記一対の搬送ローラとが対向する位置まで昇降するとともに、前記記録材料収納部から搬出された記録材料を水平な状態で支持可能な記録材料搬送部と、
前記記録材料搬送部の下方に配置され、前記記録材料収納部から搬出された記録材料をその外周部に装着する記録ドラムと、
前記記録材料搬送部を傾斜姿勢とすることにより、前記一対の搬送ローラを前記記録ドラムと対向する位置に配置する傾斜機構と、
前記記録ドラムと対向する位置に配置され、前記記録ドラムに装着された記録材料に対して画像を記録する画像記録部と、
を備えたことを特徴とする画像記録装置。
【請求項９】
請求項７または請求項８に記載の画像記録装置において、
前記記録材料搬送部は、前記一対の搬送ローラの駆動により、前記記録材料収納部から排出された記録材料をスイッチバック方式により前記記録ドラム部に搬送する画像記録装置。
【発明の詳細な説明】
【技術分野】
【０００１】
この発明は、複数の記録材料収納部に収納された記録材料を画像を記録するための記録材料装着部まで搬送する搬送機構を備えた画像記録装置に関する。
【背景技術】
【０００２】
このような画像記録装置に使用可能な記録材料搬送装置は、例えば、特許文献１に開示されている。
【０００３】
この特許文献１に記載された感光材料搬送装置は、記録材料としての感光材料を供給する供給マガジンと、感光材料を後工程に向けて搬送する搬送ローラ群と、その一端が供給マガジンに対向する位置と搬送ローラ群に対向する位置との間で所定の軸を中心に揺動可能なガイド筒とを備え、供給マガジンから搬出された感光材料をスイッチバック方式により搬送ローラ群に向けて搬送する構成を有する。
【特許文献１】特開平５−６１１２３号公報
【発明の開示】
【発明が解決しようとする課題】
【０００４】
画像記録装置においては、サイズ等の異なる複数種の記録材料を使用する目的や、記録材料が収納されたマガジンを順次交換することにより連続して記録材料を供給する目的から、マガジン等を備えた記録材料供給部が複数個配設される。そして、これら複数の記録材料供給部は、設置スペースを小さくする目的から、通常、互いに上下方向に列設される。
【０００５】
このような記録材料供給部が上下方向に列設された画像記録装置に対して、上述したような所定の軸を中心に揺動する搬送装置を使用した場合には、各記録材料供給部毎に記録材料の供給角度が変化することから、記録材料の搬送性能が安定しないという問題が生ずる。また、記録材料の搬送角度が大きくなると、記録材料に傷等が生じやすい。これを防止するため、多数の搬送ローラを使用した場合には、搬送機構が複雑化し、装置コストが増加するという問題を生ずる。
【０００６】
この発明は上記課題を解決するためになされたものであり、簡易な構成ながら記録材料を確実に搬送することができ、また、設置スペースを小さくすることが可能な画像記録装置を提供することを目的とする。
【課題を解決するための手段】
【０００７】
請求項１に記載の発明は、上下方向に列設された複数の記録材料収納部と、記録材料を搬送するための一対の搬送ローラを備え、前記各記録材料収納部と前記一対の搬送ローラとが対向する位置まで昇降するとともに、前記記録材料収納部から搬出された記録材料を水平な状態で支持可能な記録材料搬送部と、前記記録材料収納部または前記記録材料搬送部の上方または下方に配置され、前記記録材料収納部から搬出された記録材料を装着する記録材料装着部と、前記記録材料搬送部を傾斜姿勢とすることにより、前記一対の搬送ローラを前記記録材料装着部と対向する位置に配置する傾斜機構と、前記記録材料装着部と対向する位置に配置され、前記記録材料装着部に装着された記録材料に対して画像を記録する画像記録部とを備えたことを特徴とする。
【０００８】
請求項２に記載の発明は、請求項１に記載の発明において、前記記録材料搬送部は、前記一対の搬送ローラの駆動により、前記記録材料収納部から排出された記録材料をスイッチバック方式により前記記録材料装着部に搬送する。
【０００９】
請求項３に記載の発明は、請求項２に記載の発明において、前記記録材料収納部は、その内部に長尺の記録材料を巻回して収納するマガジンと、前記長尺の記録材料を切断するためのカッターと、記録材料を前記マガジンから搬出するための一対の搬出ローラとを備えている。
【００１０】
請求項４に記載の発明は、請求項２に記載の発明において、前記記録材料収納部は、その内部に長尺の記録材料を巻回して収納するマガジンと、前記長尺の記録材料を前記マガジンから搬出するための一対の搬出ローラとを備え、前記記録材料搬送部は、前記一対の搬出ローラによって前記マガジンから搬出された長尺の記録材料を切断するためのカッターを備えている。
【００１１】
請求項５に記載の発明は、請求項３または請求項４に記載の発明において、前記一対の搬出ローラのうちの少なくとも一方は、その長手方向の中央部において記録材料の搬送力が強化されたローラから構成されるとともに、前記記録材料搬送部は、前記一対の搬送ローラの軸間距離を変更するための変更機構を備え、前記記録材料収納部から前記記録材料搬送部に記録材料を搬送するときには、前記記録材料搬送部から前記記録材料装着部に記録材料を搬送するときよりも前記一対の搬送ローラによる記録材料のニップ圧を低下させる。
【００１２】
請求項６に記載の発明は、請求項５に記載の発明において、前記記録材料収納部から前記記録材料搬送部に記録材料を搬送するときには、前記一対の搬送ローラを開放して記録材料のニップ圧をゼロにする。
【００１３】
請求項７に記載の発明は、その内部に長尺の記録材料を巻回して収納するマガジンと、前記長尺の記録材料を切断するためのカッターと、記録材料を前記マガジンから搬出するための一対の搬出ローラとを各々備える上下方向に列設された複数の記録材料収納部と、記録材料を搬送するための一対の搬送ローラを備え、前記各記録材料収納部と前記一対の搬送ローラとが対向する位置まで昇降するとともに、前記記録材料収納部から搬出された記録材料を水平な状態で支持可能な記録材料搬送部と、前記記録材料搬送部の下方に配置され、前記記録材料収納部から搬出された記録材料をその外周部に装着する記録ドラムと、前記記録材料搬送部を傾斜姿勢とすることにより、前記一対の搬送ローラを前記記録ドラムと対向する位置に配置する傾斜機構と、前記記録ドラムと対向する位置に配置され、前記記録ドラムに装着された記録材料に対して画像を記録する画像記録部とを備えたことを特徴とする。
【００１４】
請求項８に記載の発明は、その内部に長尺の記録材料を巻回して収納するマガジンと、前記長尺の記録材料を前記マガジンから搬出するための一対の搬出ローラとをそれぞれ備える上下方向に列設された複数の記録材料収納部と、前記マガジンから搬出された長尺の記録材料を切断するためのカッターと、切断された記録材料を搬送するための一対の搬送ローラとを備え、前記各記録材料収納部と前記一対の搬送ローラとが対向する位置まで昇降するとともに、前記記録材料収納部から搬出された記録材料を水平な状態で支持可能な記録材料搬送部と、前記記録材料搬送部の下方に配置され、前記記録材料収納部から搬出された記録材料をその外周部に装着する記録ドラムと、前記記録材料搬送部を傾斜姿勢とすることにより、前記一対の搬送ローラを前記記録ドラムと対向する位置に配置する傾斜機構と、前記記録ドラムと対向する位置に配置され、前記記録ドラムに装着された記録材料に対して画像を記録する画像記録部とを備えたことを特徴とする。
【００１５】
請求項９に記載の発明は、請求項７または請求項８に記載の発明において、前記記録材料搬送部は、前記一対の搬送ローラの駆動により、前記記録材料収納部から排出された記録材料をスイッチバック方式により前記記録ドラム部に搬送する。
【発明の効果】
【００１６】
請求項１に記載の発明によれば、簡易な構成ながら記録材料を確実に搬送することができ、また、設置スペースを小さくすることが可能となる。
【００１７】
請求項２に記載の発明によれば、記録材料搬送部が記録材料収納部から排出された記録材料をスイッチバック方式により記録材料装着部に搬送することから、記録材料の長さが異なる場合においても、記録材料を有効に記録材料装着部に搬送することが可能となる。
【００１８】
請求項３および請求項４に記載の発明によれば、長尺の記録材料を所定の長さに切断して記録材料装着部に搬送することが可能となる。
【００１９】
請求項５および請求項６に記載の発明によれば、その長手方向の中央部において記録材料の搬送力が強化されたローラを利用することから、記録材料の搬送時に生じやすい斜行を有効に防止することが可能となる。
【００２０】
請求項７および請求項８に記載の発明によれば、簡易な構成ながら記録材料を確実に搬送することができ、また、設置スペースを小さくすることが可能となる。
【００２１】
請求項９に記載の発明によれば、記録材料搬送部が記録材料収納部から排出された記録材料をスイッチバック方式により記録ドラムに搬送することから、記録材料の長さが異なる場合においても、記録材料を有効に記録ドラムに搬送することが可能となる。
【発明を実施するための最良の形態】
【００２２】
以下、この発明の実施の形態を図面に基づいて説明する。図１はこの発明に係る画像記録装置の概要図である。
【００２３】
この画像記録装置は、上下方向に列設された二個の記録材料収納部１２と、記録材料の搬送に利用される記録材料搬送部１３と、この記録材料搬送部１３を昇降駆動する昇降機構と、記録材料搬送部１３を傾斜姿勢とするための傾斜機構と、その外周部に記録材料Ｐを装着する記録ドラム１４と、記録ドラムに装着された記録材料Ｐに対して画像を記録する画像記録部１５と、画像記録後の記録材料Ｐを排出トレイ１６に排出するための排出機構１７とを備える。
【００２４】
上記各記録材料収納部１２は、各々、その内部に長尺の記録材料Ｐを巻回して収納するマガジン２１と、長尺の記録材料Ｐを切断するためのカッター２２と、記録材料Ｐをマガジン２１から搬出するための一対の搬出ローラ２３、２４とを備える。
【００２５】
一対の搬出ローラ２３、２４のうち、上側に配置された搬出ローラ２３は、図２（ａ）に示すように、軸２５の中央部に車輪状のローラ部２６が複数個配置された構成を有する。搬出ローラ２３としてこのような構成を採用した場合には、搬出ローラ２３の長手方向の中央部において記録材料Ｐの搬送力が強化される。このため、一対の搬出ローラ２３、２４により記録材料Ｐを搬送した場合に、記録材料Ｐはその中央部が引かれる状態で搬送されることから、記録材料Ｐの搬送時に記録材料Ｐに斜行が生じることを有効に防止することができる。
【００２６】
なお、このように搬出ローラ２３の長手方向の中央部において記録材料の搬送力を強化するためには、図２（ｂ）に示すように、軸２５の中央部に幅の狭いローラ部２７が配置された構成を採用してもよく、また、図２（ｃ）に示すように、クラウン形状のローラ２８を採用してもよい。
【００２７】
再度図１を参照して、記録材料搬送部１３は、記録材料収納部１２から排出された記録材料Ｐを水平な状態で支持するとともに、この記録材料Ｐを記録ドラム１４に向けてスイッチバック式に搬送するためのものであり、記録材料Ｐを搬送するための一対の搬送ローラ３１、３２を備える。
【００２８】
なお、スイッチバック方式とは、搬送物（記録材料Ｐ）を第１方向に搬送後、その搬送物を前記第１方向に搬送したときと同じ搬送経路に沿って前記第１方向と異なる第２方向（好ましくは第１方向と逆方向）に搬送する方式のことである。
【００２９】
この記録材料搬送部１３は、昇降機構および傾斜機構の作用により、図１において符号Ａで示す上方の記録材料収納部１２と対向する位置と、符号Ｂで示す下方の記録材料収納部１２と対向する位置と、符号Ｃで示す傾斜して記録ドラム１４と対向する位置との間を移動する。
【００３０】
以下、記録材料搬送部１３と昇降機構および傾斜機構との構成について説明する。図３は記録材料搬送部１３をその昇降機構および傾斜機構とともに示す平面図であり、図４はその要部を示す側面図、また、図５は記録材料搬送部１３をその昇降機構および傾斜機構とともに示す斜視図である。なお、図５においては、一部の部材の図示を省略している。
【００３１】
この記録材料搬送部１３は、一対の支持部材３３と、記録材料をその下方から支持するための支持板３４とを備える。上述した一対の搬送ローラ３１、３２のうちの下側に位置する搬送ローラ３２は、一対の支持部材３３に軸支されている。この搬送ローラ３２は、モータ３５と連結されており、このモータ３５の駆動により回転する。一方、上側に位置する搬送ローラ３１は、上下方向に移動可能な状態で一対の支持部材３３に軸支されている。
【００３２】
一対の支持部材３３には、軸３６を中心に揺動可能なレバー３７が配設されている。このレバー３７は、モータ３８の駆動により回転する軸３９の両端部に固定されたカム４１により揺動動作を実行する。そして、レバー３７の揺動に伴って、上側に位置する搬送ローラ３１が上下移動する。すなわち、モータ３８の駆動によりレバー３７が揺動した場合には、一対の搬送ローラ３１、３２の軸間距離が変更されることになる。
【００３３】
図３に示すように、記録材料搬送部１３の各支持部材３３の外側面には、一対の連結部材５４が突出して固設されている。連結部材５４の先端には、カムフォロワ５３が連結部材５４に対して回転自在に取り付けられている。カムフォロワ５３は、この画像記録装置の側板５０の内側に設けられたカム５２に沿って移動する。
【００３４】
記録材料搬送部１３の各支持部材３３の外側面には、さらに、回転軸４２が取り付けられている。各回転軸４２は、一対の昇降部材１００に回転自在に連結されている。記録材料搬送部１３は、これによって一対の昇降部材１００に対して回転軸４２を中心に揺動可能になっている。
【００３５】
また、図４に示すように、各昇降部材１００には、ナット４４とスライド部材４６とが配設されている。ナット４４は鉛直方向を向くボールねじ４３と螺合し、スライド部材４６は鉛直方向を向くガイド部材４５に案内される。
【００３６】
一対のボールねじ４３の上端には、従動プーリ４７が付設されている。これらの従動プーリ４７と、モータ４８に連結された駆動プーリ４９とにわたり、ベルト５１が巻回されている。このため、モータ４８の駆動により、駆動プーリ４９、ベルト５１および従動プーリ４７を介して、一対のボールねじ４３が回転することになる。そして、一対のボールねじ４３が回転した場合には、一対の昇降部材１００がガイド部材４５に沿って鉛直方向に移動し、それに伴って記録材料搬送部１３が昇降することになる。
【００３７】
画像記録装置における一対の側板５０には、カム５２が固定されている。このカム５２は、図１および図５に示すように、その上部が鉛直方向を向き、その下部が傾斜した形状を有する。これら一対のカム５２には、各々、カムフォロワー５３が係合している。これらのカムフォロワー５３は、図３に示すように、連結部材５４を介して記録材料搬送部１３における一対の支持部材３３と連結している。
【００３８】
記録材料搬送部１３の重心は、図３に示す回転軸４２より一対の搬送ローラ３１、３２側に配置されている。上述したモータ４８の駆動により記録材料搬送部１３が図１において符号Ａで示す昇降ストロークの上端の位置から符号Ｂで示す位置まで下降する間には、鉛直方向を向くガイド部材４５と鉛直方向を向くカム５２の上部の形状との作用により、記録材料搬送部１３は水平姿勢を保った状態で移動する。そして、記録材料搬送部１３がさらに下降を続けた場合には、鉛直方向を向くガイド部材４５と傾斜したカム５２の下部の形状との作用により、記録材料搬送部１３は回転軸４２を中心に昇降部材１００に対して揺動することで徐々に傾斜し、図１において符号Ｃで示す傾斜姿勢となる。
【００３９】
ここで、図１において符号Ａで示す位置は一対の搬送ローラ３１、３２が上方の記録材料収納部１２と対向する位置であり、符号Ｂで示す位置は一対の搬送ローラ３１、３２が下方の記録材料収納部１２と対向する位置、また、符号Ｃで示す位置は一対の搬送ローラ３１、３２が記録ドラム１４と対向する位置である。
【００４０】
再度図１を参照して、記録ドラム１４の外周部と対向する位置には、記録ドラム１４に装着される記録材料Ｐの先端をクランプする先端クランプの開閉機構６１と、この記録材料Ｐの後端をクランプする後端クランプの開閉機構６２と、スクイズローラ６３と、パンチ機構６４とが配設されている。
【００４１】
記録ドラム１４に装着された記録材料Ｐに対して画像を記録する画像記録部１５は、記録ヘッド６５と、この記録ヘッド６５を記録ドラム１４の軸芯方向（図１における紙面に垂直な方向）に移動させる移動機構とを備える。この画像記録部１５は、記録ドラム１４を高速回転させるとともに記録ヘッド６５を記録ドラム１４の軸芯方向に移動させた状態で、記録ヘッド６５から記録材料Ｐにレーザビーム等を照射することで画像の記録を実行する。
【００４２】
画像記録後の記録材料Ｐを排出トレイ１６に排出するための排出機構１７は、記録ドラム１４の外周面から記録材料Ｐを剥離するための剥離爪７１と、複数の搬送ローラ対７２と、方向変換部材７４とを備える。方向変換部材７４はその一端に搬送ローラ対７３を備え、図１において実線で示す姿勢から二点鎖線で示す姿勢に方向転換することにより、スイッチバック方式で記録材料Ｐの方向転換を実行する。画像の記録が終了した記録材料Ｐは、この排出機構１７の作用により、記録ドラム１４の外周部から取り外され、排出トレイ１６まで搬送される。
【００４３】
次に、上述した構成を有する画像記録装置において、記録材料収納部１２に収納された記録材料Ｐを記録ドラム１４まで搬送する搬送動作について説明する。図６乃至図８は、記録材料Ｐの搬送動作を示す説明図である。
【００４４】
記録材料Ｐを搬送する際には、図６（ａ）示すように、一対の搬出ローラ２３、２４により、マガジン２１内に巻回された状態で収納された記録材料Ｐを引き出す。そして、一対の搬出ローラ２３、２４を継続して回転させることにより、図６（ｂ）に示すように、記録材料Ｐを記録材料搬送部１３における支持板３４上に搬送する。このとき、支持板３４は記録材料Ｐを水平な状態で支持できるだけの大きさを有している。なお、支持板３４は記録材料Ｐの大半を水平な状態で支持できればよく、記録材料Ｐの一部（例えば、１５０ｍｍ程度）が支持板３４から突出してもよい。
【００４５】
この記録材料Ｐの記録材料収納部１２から記録材料搬送部１３への搬送時においては、図４に示すレバー３７の作用により上側に位置する搬送ローラ３１が上方に移動し、一対の搬送ローラ３１、３２間には隙間が形成されている。このため、記録材料Ｐは、図２（ａ）に示すように、軸２５の中央部に車輪状のローラ部２６が複数個配置された構成を有し、長手方向の中央部において記録材料Ｐの搬送力が強化された搬出ローラ２３と、搬出ローラ２４とにより搬送される。このため、記録材料Ｐの搬送時に記録材料Ｐに斜行が生じることを有効に防止することができる。
【００４６】
画像の記録に必要な長さの記録材料Ｐが引き出されたら、図７（ａ）に示すように、図４に示すレバー３７の作用により上側に位置する搬送ローラ３１を下方に移動させ、記録材料Ｐを一対の搬送ローラ３１、３２間にニップする。そして、カッター２２の作用により、記録材料Ｐを切断する。
【００４７】
次に、図７（ｂ）に示すように、一対の搬送ローラ３１、３２を回転させて記録材料Ｐを記録材料搬送部１３内に完全に収納する。また、一対の搬出ローラ２３、２４を逆回転させて、記録材料Ｐを少しだけ巻き戻す。
【００４８】
この状態において、記録材料搬送部１３が図１において符号Ａで示す上方の記録材料収納部１２と対向する位置に配置されている場合には、図８（ａ）に示すように、モータ４８の駆動によりボールねじ４３を回転させ、記録材料搬送部１３を図１において符号Ｂで示す下方の記録材料収納部１２と対向する位置まで下降させる。そして、モータ４８の駆動によりボールねじ４３をさらに回転させることにより、図８（ｂ）に示すように、記録材料搬送部１３を図１において符号Ｃで示す傾斜して記録ドラム１４と対向する位置まで移動させる。
【００４９】
そして、一対の搬送ローラ３１、３２を逆方向に回転させることにより、支持板３４上に支持した記録材料Ｐを記録ドラム１４方向に搬送する。記録材料Ｐの先端が記録ドラム１４に到達すれば、その先端を先端クランプでクランプした後、記録ドラム１４を低速で回転させて記録材料Ｐを記録ドラム１４の外周部に装着する。このように記録材料Ｐをスイッチバック式で記録ドラム１４に向けて搬送することから、記録材料Ｐの長さが異なる場合においても、その搬送量を調整することにより記録材料Ｐを有効に記録ドラム１４に搬送することが可能となる。
【００５０】
なお、上述した実施形態においては、記録ドラム１４を記録材料搬送部１３の下方に配置することにより、画像記録装置の設置面積を小さくしている。但し、この記録ドラム１４を記録材料収納部１２の下方に配置してもよい。同様に、記録ドラム１４を記録材料収納部１２または記録材料搬送部１３の上方に配置するようにしてもよい。このような構成を採用した場合においても、画像記録装置の設置面積を小さくすることが可能となる。
【００５１】
また、上述した実施形態においては、マガジン２１内にから記録材料Ｐを引き出して記録材料搬送部１３における支持板３４上に搬送するときには、一対の搬送ローラ３１、３２間に隙間を形成して記録材料Ｐを一対の搬出ローラ２３、２４のみにより搬送している。しかしながら、一対の搬出ローラ３１、３２を弱い力で当接させることにより、記録材料Ｐを、一対の搬出ローラ２３、２４の搬送力に加えて一対の搬送ローラ３１、３２による補助的な搬送力を利用して搬送するようにしてもよい。この場合においても、記録材料Ｐの搬送時に記録材料Ｐに斜行が生じることを有効に防止することができる。この明細書における「一対の搬送ローラによる記録材料のニップ圧を低下させる」とは、このような両方の形態を含む概念である。
【００５２】
さらに、上記実施の形態においては、カッター２２を記録材料収納部１２に配設している。しかしながら、カッター２２を記録材料搬送部１３に配設するようにしてもよい。この場合においては、カッター２２を１つだけ配設するだけでよいので、カッター２２を各記録材料収納部１２に設ける場合よりも安価で済む。また、記録材料Ｐをどの記録材料収納部１２から引き出して使用する場合でもカッター２２による記録材料Ｐの切断面が同一になり画像記録材料Ｐの品質が均一になる。
【図面の簡単な説明】
【００５３】
【図１】この発明に係る画像記録装置の概要図である。
【図２】搬出ローラ２３の構成を示す正面図である。
【図３】記録材料搬送部１３をその昇降機構および傾斜機構とともに示す平面図である。
【図４】図５の要部を示す側面図である。
【図５】記録材料搬送部１３をその昇降機構および傾斜機構とともに示す斜視図である。
【図６】記録材料Ｐの搬送動作を示す説明図である。
【図７】記録材料Ｐの搬送動作を示す説明図である。
【図８】記録材料Ｐの搬送動作を示す説明図である。
【符号の説明】
【００５４】
１２      記録材料収納部
１３      記録材料搬送部
１４      記録ドラム
１５      画像記録部
１６      排出トレイ
１７      排出機構
２１      マガジン
２２      カッター
２３      搬出ローラ
２４      搬出ローラ
２５      軸
２６      ローラ部
２７      ローラ部
２８      ローラ
３１      搬送ローラ
３２      搬送ローラ
３３      支持部材
３５      モータ
３７      レバー
４１      カム
４２      軸
４３      ボールねじ
４４      ナット
４５      ガイド部材
４６      スライド部材
４７      従動プーリ
４８      モータ
４９      駆動プーリ
５０      側板
５１      ベルト
５２      カム
５３      カムフォロワー
１００    昇降部材
Ｐ        記録材料
【図１】
2005053697.tif 000003
【図２】
2005053697.tif 000004
【図３】
2005053697.tif 000005
【図４】
2005053697.tif 000006
【図５】
2005053697.tif 000007
【図６】
2005053697.tif 000008
【図７】
2005053697.tif 000009
【図８】
2005053697.tif 000010